(57)【要約】【課題】構造の簡略化を図りながらも左右に複数列に区画された収納空間内に気流を効率的に拡散し得る収納装置を提供する。【解決手段】収納装置１は、前方に開口する収納空間２の開口を開閉する扉１７と、左右に複数列に区画された該収納空間の各列３，４，５を上下に複数段に区画するように設けられた複数枚の棚板２３，２４，２５と、前記収納空間の左右の内側面１４ａ，１５ａのうちの一方の内側面１４ａ側の列３の少なくとも各段における前記一方の内側面において開口するように設けられた複数の通気開口部３２，３３のうちの少なくとも一つから吹き出した空気を残余の通気開口部から吸い込むように送風する送風部３０と、を備えており、前記複数枚の棚板は、隣り合う列同士の左右に空気の流通が可能なように配設され、かつ複数列のうちの少なくともいずれか一つの列の棚板の側方を迂回するようにして各列の隣り合う段同士の上下に空気の流通が可能なように全列の棚板が同高さ位置とならないように配設されている。【選択図】図１
2014219167.tif 000002
【特許請求の範囲】
【請求項１】
前方に開口する収納空間の開口を開閉する扉と、左右に複数列に区画された該収納空間の各列を上下に複数段に区画するように設けられた複数枚の棚板と、前記収納空間の左右の内側面のうちの一方の内側面側の列の少なくとも各段における前記一方の内側面において開口するように設けられた複数の通気開口部のうちの少なくとも一つから吹き出した空気を残余の通気開口部から吸い込むように送風する送風部と、を備えており、
前記複数枚の棚板は、隣り合う列同士の左右に空気の流通が可能なように配設され、かつ複数列のうちの少なくともいずれか一つの列の棚板の側方を迂回するようにして各列の隣り合う段同士の上下に空気の流通が可能なように全列の棚板が同高さ位置とならないように配設されていることを特徴とする収納装置。
【請求項２】
請求項１において、
前記複数の通気開口部は、吹出部と吸込部とが前記一方の内側面側の列の別段に位置するように設けられていることを特徴とする収納装置。
【請求項３】
請求項２において、
互いに送風路を介して連通する三つ以上の通気開口部を設け、かつこれらのうちの一つのみを吹出部とし、他の複数の吸込部のそれぞれの内側に脱臭フィルターを設けていることを特徴とする収納装置。
【請求項４】
請求項１乃至３のいずれか１項において、
前記一方の内側面側の列の各段における上下方向中央よりも上方側に位置するように前記通気開口部を設けていることを特徴とする収納装置。
【請求項５】
請求項１乃至４のいずれか１項において、
前記一方の内側面側の列の段数を、他の列の段数よりも多くしていることを特徴とする収納装置。
【発明の詳細な説明】
【技術分野】
【０００１】
本発明は、送風部を備えた収納装置に関する。
【背景技術】
【０００２】
従来より、収納庫内の空気を循環させる機能を設けた収納庫が知られている。
例えば、下記特許文献１では、収納庫の内一側端に、上下端に延設する通気ダクトを設け、この通気ダクト内の中部にオゾン脱臭装置を配設した収納庫が提案されている。この収納庫は、通気ダクトの側壁に、収納庫に設けられた複数の棚に応じた複数の吹き出し口及び吸い込み口を設けた構造とされている。
【先行技術文献】
【特許文献】
【０００３】
【特許文献１】特開平５−１４６３２９号公報
【発明の概要】
【発明が解決しようとする課題】
【０００４】
ところで、このような収納庫は、収納間口方向（左右方向）に複数列に区画される場合が多々ある。このような場合には、各列のそれぞれに通気ダクトを設けることも考えられるが、構造が複雑化するという問題があった。
【０００５】
本発明は、上記実情に鑑みてなされたものであり、構造の簡略化を図りながらも左右に複数列に区画された収納空間内に気流を効率的に拡散し得る収納装置を提供することを目的としている。
【課題を解決するための手段】
【０００６】
上記目的を達成するために、本発明に係る収納装置は、前方に開口する収納空間の開口を開閉する扉と、左右に複数列に区画された該収納空間の各列を上下に複数段に区画するように設けられた複数枚の棚板と、前記収納空間の左右の内側面のうちの一方の内側面側の列の少なくとも各段における前記一方の内側面において開口するように設けられた複数の通気開口部のうちの少なくとも一つから吹き出した空気を残余の通気開口部から吸い込むように送風する送風部と、を備えており、前記複数枚の棚板は、隣り合う列同士の左右に空気の流通が可能なように配設され、かつ複数列のうちの少なくともいずれか一つの列の棚板の側方を迂回するようにして各列の隣り合う段同士の上下に空気の流通が可能なように全列の棚板が同高さ位置とならないように配設されていることを特徴とする。
【０００７】
本発明においては、前記複数の通気開口部を、吹出部と吸込部とが前記一方の内側面側の列の別段に位置するように設けてもよい。
また、本発明においては、互いに送風路を介して連通する三つ以上の通気開口部を設け、かつこれらのうちの一つのみを吹出部とし、他の複数の吸込部のそれぞれの内側に脱臭フィルターを設けてもよい。
また、本発明においては、前記一方の内側面側の列の各段における上下方向中央よりも上方側に位置するように前記通気開口部を設けてもよい。
また、本発明においては、前記一方の内側面側の列の段数を、他の列の段数よりも多くしてもよい。
【発明の効果】
【０００８】
本発明に係る収納装置は、上述のような構成としたことで、構造の簡略化を図りながらも左右に複数列に区画された収納空間内に気流を効率的に拡散させることができる。
【図面の簡単な説明】
【０００９】
【図１】本発明の一実施形態に係る収納装置の一例を模式的に示す概略正面図である。
【図２】図１におけるＸ−Ｘ線矢視に対応させた概略縦断面図である。
【図３】図１におけるＹ−Ｙ線矢視に対応させた概略横断面図である。
【発明を実施するための形態】
【００１０】
以下に本発明の実施の形態について、図面に基づいて説明する。
図１〜図３は、本実施形態に係る収納装置の一例を模式的に示す図である。
なお、図１では、扉を開放させた状態として図示している。
また、以下の実施形態では、設置された収納装置に開口側においてに対面した状態を基準として、手前側を前方、その逆側を後方とし、また、その状態を基準として、上下方向及び左右方向の方向を説明する。
【００１１】
本実施形態に係る収納装置１は、図１〜図３に示すように、前方に開口する収納空間２の開口を開閉する扉１７を備えている。本実施形態では、収納装置１は、前方に開口する収納箱体１０を備え、この収納箱体１０と扉１７とによって収納空間２を区画する構成とされている。また、収納装置１は、左右（収納間口方向）に複数列に区画された収納空間２の各列３，４，５を上下に複数段に区画するように設けられた複数枚の棚板２３，２４，２５を備えている。本実施形態では、収納装置１の収納空間２に、左右に３列の収納列３，４，５を設けた例を示している。
【００１２】
また、本実施形態では、収納装置１を、玄関土間や玄関フロアー等に好適に設置される玄関収納装置とした例を示している。この収納装置１は、図１に示すように、靴７や靴箱７Ａ等の上下寸法の比較的に小さい物品や、ブーツ（長靴）８や傘８Ａ等の長尺物品、コートや上着等の衣類９等の収納が可能とされている。
収納箱体１０は、天板１１と、底板（地板）１２と、背板１３と、左右の側板１４，１５（右側板１４及び左側板１５）と、を備え、これらによって前方に向けて開口する略箱形状とされている。なお、この収納箱体１０の下端部に台輪等を設けるようにしてもよい。
【００１３】
扉１７は、本実施形態では、収納箱体１０に回動連結部材１６を介して回動自在に連結されている。また、本実施形態では、二枚の扉１７，１７によって収納箱体１０の前方開口を開閉する両開き（観音開き）とされている。
これら扉１７，１７は、それぞれの一側端部が左右の側板１４，１５の前端部に複数（図例では、３つ）の回動連結部材１６を介して回動自在に連結されている。図例では、回動連結部材を、スライド蝶番１６とした例を示している（図２及び図３参照）。また、収納装置１は、これら扉１７，１７によって収納箱体１０の前方開口を閉鎖した状態で、これら扉１７，１７の閉鎖状態における背面が収納箱体１０の前端面（天板１１、底板１２及び左右の側板１４，１５の前端面）に当接または近接する構成とされている。つまり、本実施形態では、扉１７，１７は、閉鎖状態でアウトセット状に納められる構成とされている（図３参照）。
また、これら扉１７，１７は、閉鎖状態で互いの他側端部同士が近接または当接する構成とされている。なお、各図において符号１７ａは、各扉１７，１７に設けられた把手である。
【００１４】
なお、これら扉１７，１７のうちの一方の扉１７の他側端部に、他方の扉１７の他側端部の戸当りとなる戸当り部を設けるようにしてもよい。また、収納箱体１０の天板１１や底板１２等に、これら扉１７，１７の他側端部が当接する戸当り部を設けるようにしてもよい。
また、扉１７，１７を回動自在に連結する回動連結部材１６としては、スライド蝶番に限られず、羽根蝶番（平蝶番）等の他の連結部材を採用するようにしてもよい。また、閉鎖状態とされた扉１７，１７をインセット状に収納箱体１０内に納める態様としてもよい。
また、収納箱体１０の前方開口を開閉する扉１７，１７としては、両開きの扉１７，１７に限られず、一枚の扉によって開閉する片開きの扉としてもよい。さらには、このような回動連結部材１６を介して回動自在に収納箱体１０に連結された扉（開き戸）１７に限られない。例えば、収納箱体１０の前方開口に、扉１７として、スライド自在とされた複数枚のスライド扉を引き違い状に設けたり、複数枚の戸板を折り畳み展開自在に連結した折戸を設けたりするようにしてもよい。
【００１５】
これら収納箱体１０及び扉１７，１７によって区画された収納空間２の各列３，４，５に、本実施形態では、それぞれに複数枚の棚板２３，２４，２５を設けている。
これら複数枚の棚板２３，２４，２５は、図３に示すように、隣り合う収納列３，４，５同士の左右に空気の流通が可能なように配設されている。本実施形態では、隣り合う収納列３，４，５間に、棚板支持部材としての上下に延びる棒状体１８，１９を設け、この棒状体１８，１９によって収納空間２を左右に複数列に区画したような構成としている。また、この棒状体１８，１９によって隣り合う収納列３，４，５同士の左右に空気流通可能に棚板２３，２４，２５を支持する構成としている。
【００１６】
棒状体１８，１９は、上端部が天板１１に固定され、下端部が底板１２に固定されている。また、本実施形態では、隣り合う収納列３，４，５間のそれぞれに、前後方向（収納奥行方向）に間隔を空けて複数本（図例では、２本）の棒状体１８，１９を設けた例を示している。図例では、奥側の棒状体１８，１９を、背板１３に沿うように設け、手前側の棒状体１８，１９を、収納箱体１０の上記前端面から奥側に控えた位置において上下に延びるように設けた例を示している。
また、一方の内側面としての右側板１４の内側面１４ａ側の列としての第１収納列３及びこれに隣り合う第２収納列４が他方の内側面としての左側板１５の内側面１５ａ側の列としての第３収納列５よりも左右寸法が大きくなるように棒状体１８，１９を設けている。図例では、第１収納列３及び第２収納列４の左右寸法を互いに略同寸法とし、第３収納列５の左右寸法を、これら第１収納列３及び第２収納列４の左右寸法の１／３程度とした例を示している。これら収納列３，４，５の左右寸法は、当該収納装置１に収納される被収納物の種類や使い勝手等に応じて適宜、設定するようにすればよい。例えば、これら収納列３，４，５の左右寸法を概ね同じ寸法としてもよく、第１収納列３及び第２収納列４の両方または一方の左右寸法を第３収納列５の左右寸法よりも小さくしてもよい。
【００１７】
また、これら収納列３，４，５の複数枚の棚板２３，２４，２５は、少なくともいずれか一つの列の棚板の側方を迂回するようにして各列３，４，５の隣り合う段同士の上下に空気の流通が可能なように全列の棚板２３，２４，２５が同高さ位置とならないように配設されている。つまり、複数列のうちの一列を除く他の列の棚板の全て若しくは一部が同高さに配設され上記一列の棚板がこれら他の列の棚板とは異なる高さ位置に段違い状に配設、または複数列の棚板の全てが異なる高さ位置に段違い状に配設されている。図例では、第１収納列３の一枚の棚板２３と第２収納列４の一枚の棚板２４とを同高さに配設し、これらに上下に近接する第３収納列５の棚板２５を、これら同高さに配設された棚板２３，２４とは異なる高さ位置に段違い状に配設した例を示している。また、第１収納列３及び第２収納列４の他の棚板２３，２４を互いに異なる高さ位置にそれぞれ配設した例を示している。また、第３収納列５の各棚板２５を、これら第１収納列３及び第２収納列４の各棚板２３，２４とは異なる高さ位置にそれぞれ配設した例を示している。
【００１８】
このような構成により、少なくともいずれか一つの列の棚板の側方を迂回するようにして各列３，４，５の隣り合う段同士の上下に空気の流通が可能な構成とされている。つまり、全列の棚板２３，２４，２５を同高さ位置に配設すれば、これら棚板２３，２４，２５によって上下に区画された段同士の上下に空気の流通がなされ難くなる傾向があるが、各列３，４，５の棚板２３，２４，２５を上記のように配設することで、少なくともいずれか一つの列の棚板の側方を迂回するようにして各列３，４，５の隣り合う段同士の上下に空気の流通を可能としている。
なお、上記のように異なる高さ位置に配設された上下に近接する各列３，４，５の棚板２３，２４，２５間の寸法（上下寸法）は、空気がスムーズに流通するような寸法とすればよく、また、各段の上下寸法に応じて適宜、設定するようにしてもよい。例えば、異なる高さ位置に配設された上下に近接する各列３，４，５の棚板２３，２４，２５間の寸法を、１０ｍｍ以上としてもよい。
【００１９】
また、本実施形態では、第１収納列３の段数を、他の列４，５の段数よりも多くしている。図例では、第１収納列３に、上下に間隔を空けて６枚の棚板２３を設け、これらによって第１収納列３を７段収納とした例を示している。また、第２収納列４に、上下に間隔を空けて２枚の棚板２４を設け、これらによって第２収納列４を３段収納とした例を示している。また、第３収納列５に、上下に間隔を空けて４枚の棚板２５を設け、これらによって第３収納列５を５段収納とした例を示している。なお、各列３，４，５の段数は、図例の段数に限られず、その他の段数としてもよい。
【００２０】
また、本実施形態では、図１に示すように、第１収納列３の最下段を、ブーツ８を収納する長尺物収納部とし、その上段側の第１収納列３の他の段を、ブーツ８のように嵩高ではない一般的な履物としての靴７を収納する靴収納部としている。図例では、各靴収納部の上下寸法を互いに同寸法とした例を示しているが、異なる上下寸法としてもよい。また、図例では、第１収納列３の左右寸法を、三足の靴７及びブーツ８を左右に並べて収納可能な寸法としているが、他の寸法としてもよい。
また、第１収納列３の最下段に、ブーツ８の型崩れ等を抑制するブーツホルダー等のブーツ保持具を吊り下げる吊下部材２０を設けている。図例では、左右に延びる棒状の吊下部材２０を第１収納列３の最下段の棚板２３の下方側において左右に架け渡すように設けた例を示している（図２も参照）。
【００２１】
また、第２収納列４の最下段を、ハンガー等に掛けたコートや上着等の衣類９を収納する衣類収納部とし、その上段側の第２収納列４の他の段を、靴箱７Ａ等の小物収納部としている。図例では、衣類収納部の上下寸法を、上記した長尺物収納部の上下寸法よりも大きい寸法とし、また、各小物収納部の上下寸法を、上記した靴収納部の上下寸法よりも大きい寸法とした例を示しているが、このような寸法に限られない。
また、図例では、衣類収納部を、複数枚の衣類９を前後方向に並べて収納可能なように、前後に延びる棒状の吊下部材２１を最下段の棚板２４の下方側に設けた例を示している。この吊下部材２１は、その長手方向両端部（前後端部）にブラケット等の取付具が取り付けられ、これら取付具を介して最下段の棚板２４に支持されている。なお、この吊下部材２１としては、棚板２４の下方側に固定的に設けられたものに限られず、前後方向に出し入れ自在とされたものとしてもよい。また、図例では、吊下部材２１を、棚板２４の下方側において前後に延びるように設けた例を示しているが、吊下部材２１を、棚板２４の下方側において左右に延びるように設けるようにしてもよい。
【００２２】
また、第３収納列５の最下段を、傘８Ａを収納する長尺物収納部とし、その上段側の第３収納列５の他の段を、上記した第２収納列４と概ね同様、靴箱７Ａ等の小物収納部としている。この第３収納列５の最下段には、上記した第１収納列３と概ね同様、左右に延びる棒状の吊下部材２２が当該第３収納列５の最下段の棚板２５の下方側において左右に架け渡されるように設けられている。なお、図例では、第３収納列５の各小物収納部の上下寸法を互いに同寸法とした例を示しているが、異なる上下寸法としてもよい。また、図例では、長尺物収納部の上下寸法を、上記した第１収納列３の長尺物収納部の上下寸法よりも大きい寸法とし、また、各小物収納部の上下寸法を、上記した第１収納列３の靴収納部の上下寸法よりも大きい寸法とした例を示しているが、このような寸法に限られない。
なお、各収納列３，４，５の各段、つまり各収納部は、上記したような態様に限られず、種々の変形が可能である。例えば、複数列のうちの少なくとも一列に、靴収納部や小物収納部を設けないようにしてもよく、または、複数列のうちの少なくとも一列に、長尺物収納部や衣類収納部を設けないようにしてもよい。
【００２３】
また、本実施形態では、各収納列３，４，５の各棚板２３，２４，２５を、各収納列３，４，５において上下に空気の流通が可能なように設けている。つまり、各収納列３，４，５の各棚板２３，２４，２５は、各収納列３，４，５における棚板２３，２４，２５の上段側と下段側との互いの空気の流通が可能なように設けられている。
本実施形態では、図２及び図３に示すように、各収納列３，４，５の棚板２３，２４，２５を、閉鎖状態とされた扉１７との間に空気流通空間６を形成するように配設している。つまり、これら棚板２３，２４，２５の各前端面を、収納箱体１０の上記前端面から奥側に控えさせた位置としている。また、これら棚板２３，２４，２５の各前端面と閉鎖状態とされた扉１７の背面との間に、これら棚板２３，２４，２５の左右の全体に亘って空気流通空間６を設けた例を示している。この空気流通空間６の前後寸法は、上下に空気がスムーズに流通するような寸法とすればよく、例えば、１０ｍｍ〜１００ｍｍ程度としてもよい。
【００２４】
各収納列３，４，５の棚板２３，２４，２５は、前後寸法が互いに略同寸法とされ、左右寸法が各収納列３，４，５の左右寸法に応じた寸法とされている。
第１収納列３の各棚板２３は、一方の側端部（図示右側端部）が一方の側板（図示右側板）１４に固定され、他方の側端部が各棒状体１８，１８に固定されている。
第２収納列４の各棚板２４は、一方の側端部（図示右側端部）が各棒状体１８，１８に固定され、他方の側端部が各棒状体１９，１９に固定されている。
第３収納列５の各棚板２５は、一方の側端部（図示右側端部）が各棒状体１９，１９に固定され、他方の側端部が他方の側板（図示左側板）１５に固定されている。
【００２５】
なお、本実施形態では、隣り合う収納列３，４，５間に、棚板支持部材としての複数本の棒状体１８，１９を前後に間隔を空けて設けた例を示しているが、隣り合う収納列３，４，５間に、単一の棒状体１８，１９を設けるようにしてもよい。また、棚板支持部材としては、このような棒状体１８，１９に限られず、左右に隣り合う収納列３，４，５間に互いに左右に空気の流通を可能とする棚板支持部材を採用するようにしてもよい。例えば、収納空間２を左右に区画するように配設される縦仕切板の背側や前側等に上記同様の空気流通空間を設けた構成としたり、パンチング状やメッシュ状等の多孔状の縦仕切板を設けた構成としたり、単一または複数の帯板状の縦仕切板を設けた構成としたりしてもよい。
【００２６】
また、本実施形態に係る収納装置１は、収納空間２の一方の内側面１４ａにおいて開口するように設けられた複数の通気開口部３２，３３のうちの少なくとも一つから吹き出した空気を残余の通気開口部から吸い込むように送風する送風部３０を備えている。複数の通気開口部３２，３３は、収納空間２の左右の内側面１４ａ，１５ａのうちの一方の内側面１４ａ側の列としての第１収納列３の少なくとも各段における一方の内側面１４ａにおいて開口するように設けられている。
送風部３０は、これら通気開口部３２，３３を連通させる送風路３１を区画するダクト部材３５と、送風路３１を送風する送風器３６と、を備えている。
【００２７】
ダクト部材３５は、上下に延びるように設けられており、本実施形態では、収納空間２の上下の略全長に亘る上下寸法とされている。また、本実施形態では、このダクト部材３５を、右側板１４の外側面に沿って設け、右側板１４とによって送風路３１を区画する態様としている。つまり、右側板１４の外側面に付設するように送風部３０を設けている。
このダクト部材３５は、図３に示すように、右側板１４に向けて開口する形状とされており、横断面形状が略コ字状（略Ｕ字状または略Ｃ字状）とされている。また、図例では、このダクト部材３５の前後寸法を、収納空間２の前後寸法よりも小さい寸法とし、ダクト部材３５を収納空間２の前後方向略中央に設けた例を示している。また、このダクト部材３５の前後両側に、スペーサー状部材３８，３８を設けた例を示している。また、図例では、このダクト部材３５を、当該収納装置１の左右方向に比較的に薄い形状とした例を示している。
【００２８】
複数の通気開口部３２，３３は、右側板１４の内側面１４ａにおいて左側板１５に向けて開口するように設けられている。これら通気開口部３２，３３は、図２及び図３に示すように、ガラリやルーバー等を設けた構成とされており、送風路３１を区画する右側板１４に設けられた厚さ方向に貫通する貫通孔を覆うように設けられている。また、これら通気開口部３２，３３は、互いに略同様の構成とされており、開口面積が互いに略同寸法とされている。また、図例では、これら通気開口部３２，３３を、開口方向に沿う方向に見て、当該収納装置１の前後方向に延びるような細長形状で略矩形状とした例を示している（図２参照）。
また、これら通気開口部３２，３３は、本実施形態では、吹出部３２と吸込部３３とが第１収納列３の別段に位置するように設けられている。つまり、これら通気開口部３２，３３を、吹出部３２及び吸込部３３が第１収納列３の同じ段に位置しないように設けている。
【００２９】
また、本実施形態では、互いに送風路３１を介して連通する三つ以上の通気開口部３２，３３，３３を設けている。本実施形態では、第１収納列３の段数に応じて各段のそれぞれに通気開口部３２，３３を設けている。図例では、第１収納列３の各靴収納部において開口する単一の通気開口部３２，３３を設け、第１収納列３の最下段の長尺物収納部において開口する複数（図例では３つ）の通気開口部３３，３３を設けた例を示している。つまり、本実施形態では、９つの通気開口部３２，３３を設けた例を示している。
また、本実施形態では、図１及び図２に示すように、第１収納列３の各段における上下方向中央よりも上方側に位置するように通気開口部３２，３３を設けている。本実施形態では、第１収納列３の最下段において開口する複数の通気開口部３３，３３を設けており、これらのうちの一つを最下段における上方側に位置するように設けている。また、第１収納列３の最下段において開口する複数の通気開口部３３，３３のうちの一つを最下段における下端部近傍部位において開口するように設けている。換言すれば、本実施形態では、複数の通気開口部３２，３３のうちの最上方及び最下方の通気開口部３２，３３を、収納空間２の上端部近傍部位及び下端部近傍部位においてそれぞれ開口するように設けている。
【００３０】
また、本実施形態では、これら通気開口部３２，３３を、収納空間２の前後方向略中央に位置するように設けている。なお、図例では、通気開口部３２，３３の前後寸法（収納空間２の前後方向に沿う寸法）を、収納空間２の前後寸法の１／３程度の寸法とした例を示しているが、これよりも大きい寸法としてもよく、また、収納空間２の前後寸法に応じた寸法としてもよい。この場合は、ダクト部材３５の前後寸法を、適宜、変形するようにしてもよい。
また、本実施形態では、これら通気開口部３２，３３のうちの一つのみを吹出部３２としている。つまり、単一の吹出部３２以外の他の複数の通気開口部３３，３３を、吸込部３３，３３としている。また、本実施形態では、吹出部３２を、複数段に区画された第１収納列３の最上段または最下段（図例では、最上段）において開口するように設けている。
【００３１】
また、各吸込部３３，３３の内側（送風方向下流側）に脱臭フィルター３４，３４をそれぞれに設けている。これら脱臭フィルター３４，３４としては、臭気や各種ガス、オゾン等を吸着したり、分解したりするものとしてもよく、また、活性炭やゼオライト、オゾン分解触媒等の種々の触媒や吸着剤、脱臭剤を含んだものとしてもよい。
なお、各吸込部３３，３３を、送風部３０のダクト部（右側板１４）に対して着脱自在とされたカバー体とし、このカバー体を取り外すことで、その内側に設けられた脱臭フィルター３４，３４の清掃や交換等を可能とする態様としてもよい。また、このような着脱自在とされたカバー体自体に脱臭フィルター３４を内蔵したような態様としてもよい。また、このように脱臭フィルター３４を吸込部３３の内側に設けた態様に代えて、または加えて、送風路３１内の上下の途中部位等に脱臭フィルターを設けた態様としてもよい。
【００３２】
送風器３６は、本実施形態では、送風路３１の送風方向における最下流側に位置する吸込部３３と吹出部３２との間に位置するように送風路３１内に設けられている。この送風器３６としては、シロッコファンやクロスフローファン、軸流ファン等を採用するようにしてもよく、単一に限られず、複数からなるものとしてもよい。なお、最下流側に位置する吸込部３３と吹出部３２との間の単一箇所に位置するように送風器３６を設けた態様に代えて、または加えて、各吸込部３３の内側の脱臭フィルター３４の内側（下流側）のそれぞれに送風器を設けたような態様としてもよい。
また、吹出口を構成する吹出部３２及び吸込口を構成する各吸込部３３，３３を開閉する開閉蓋（開閉扉）等を設けるようにしてもよい。
【００３３】
また、本実施形態では、送風部３０は、除菌・消臭作用を有する帯電微粒子水を放出する静電霧化装置３７を備えている。
静電霧化装置３７は、詳細な図示は省略しているが、水粒子放出部とこれに対向する対向電極との間に高電圧を印加することで水粒子放出部の水分を霧化し、ナノメートルサイズの帯電微粒子水を放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置３７としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間から放出する構成とされたものとしてもよい。
【００３４】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
【００３５】
また、図例では、この静電霧化装置３７を、図１〜図３に示すように、吹出部３２の内側（送風方向上流側）の直下に設けている。この静電霧化装置３７は、その帯電微粒子水の放出口を上方側に向け、吹出部３２の内側の前後方向略中央部位直下に設けるようにしてもよい。このような構成により、静電霧化装置３７の放出口から放出された帯電微粒子水は、送風路３１を送風される空気に拡散され、吹出部３２から収納空間２に向けて吹き出される。
なお、複数の静電霧化装置３７を、吹出部３２の内側の直下に前後方向に間隔を空けて設けるようにしてもよい。また、静電霧化装置３７の取付位置としては、図例のような吹出部３２の内側の直下に限られず、他の部位に取り付けるようにしてもよい。
【００３６】
なお、本実施形態では、脱臭性を有した脱臭フィルター３４と、除菌・消臭作用を有する帯電微粒子水を放出する静電霧化装置３７と、を送風部３０に脱臭機能部材として設けた例を示しているが、このような態様に限られない。例えば、これら脱臭フィルター３４及び静電霧化装置３７のうちのいずれか一方のみを設けるようにしてもよい。また、静電霧化装置３７に代えて、または加えて、脱臭機能部材として、除菌・消臭作用を有するイオンを放出するイオン生成装置を送風部３０の適所に設けるようにしてもよい。また、このように、送風部３０に脱臭機能部材を設け、送風部３０を脱臭装置３０とした態様に限られない。例えば、送風部３０にヒーター等の温風機能部材を設け、送風部３０を乾燥装置３０としたり、送風部３０に除湿器や除湿材などの除湿機能部材を設け、送風部３０を除湿装置３０としたりしてもよい。また、送風部３０に、これら脱臭機能部材、温風機能部材、除湿機能部材のうちの２つ以上を組み合わせて設け、送風部３０を、多機能送風部３０としてもよい。
【００３７】
また、送風部３０は、送風器３６や上記した機能部材としての静電霧化装置３７に駆動電源を供給し、これら送風器３６や静電霧化装置３７を制御する各種回路等を内蔵した制御部を備えている。また、送風部３０は、送風器３６や静電霧化装置３７をＯＮ／ＯＦＦ操作する操作部を備えている。これら送風器３６と静電霧化装置３７とは、個別にＯＮ／ＯＦＦ操作が可能とされたものとしてもよく、または、同期してＯＮ／ＯＦＦされるものとしてもよい。また、送風部３０の吸込側の適所等に、臭いセンサーや埃センサー等の検出部を設け、該検出部の検出に基づいて送風器３６や静電霧化装置３７のＯＮ／ＯＦＦ制御がなされるものとしてもよい。また、操作部にタイマー等を設け、送風器３６や静電霧化装置３７をタイマー駆動可能とする態様としてもよい。
【００３８】
また、送風部３０のダクト部材３５や、上記した収納箱体１０を構成する各板１１，１２，１３，１４，１５、扉１７，１７は、木質系材料を板状に加工した基材に、適宜、合成樹脂シートや突板等の表面化粧シートを貼着した構成としてもよい。また、基材としては、木質系材料に限られず、木粉・プラスチック複合材（ＷＰＣ）や、合成樹脂系材料、金属系材料等から形成されたものとしてもよい。また、ダクト部材３５、収納箱体１０を構成する各板１１，１２，１３，１４，１５及び扉１７のうちの少なくとも帯電微粒子水やイオン等に接触する可能性のある面を、帯電防止性を有したものとしてもよい。このような各面への帯電防止性の付与は、各板材自体を無垢木材や木質系材料からなるものとしてもよく、また、表面化粧シートとして突板を採用することで付与するようにしてもよい。または、帯電防止剤を含有した塗料を塗布したり、帯電防止剤を含有した樹脂シート等を貼着したりすることで付与するようにしてもよい。また、上記した吹出部３２及び吸込部３３も同様、少なくとも帯電微粒子水やイオン等に接触する可能性のある面を、帯電防止性を有したものとしてもよい。
【００３９】
本実施形態に係る収納装置１は、上述のような構成としたことで、構造の簡略化を図りながらも左右に複数列に区画された収納空間２内に気流を効率的に拡散させることができる。
つまり、左右に複数列に区画された収納空間２の各収納列３，４，５を上下に複数段に区画するように複数枚の棚板２３，２４，２５を設け、収納空間２の一方の内側面１４ａ側に複数の通気開口部３２，３３を設けた送風部３０を設けている。従って、左右両側や各収納列に通気ダクト等を設けたようなものと比べて、構造の簡略化を図ることができる。
【００４０】
また、複数の棚板２３，２４，２５を、隣り合う収納列３，４，５同士の左右に空気の流通が可能なように配設している。また、これら複数枚の棚板２３，２４，２５を、複数列のうちの少なくともいずれか一つの列の棚板の側方を迂回するようにして各収納列３，４，５の隣り合う段同士の上下に空気の流通が可能なように全収納列３，４，５の棚板２３，２４，２５が同高さ位置とならないように配設している。従って、収納空間２の一方の内側面１４ａ側の複数の通気開口部３２，３３のうちの少なくとも一つから吹き出された空気を、他方の内側面１５ａ側に拡散させることができる。また、一方の内側面側の列（第１収納列）３の少なくとも各段における一方の内側面１４ａにおいて開口するように通気開口部３２，３３を設けているので、これらを介した送風によって効率的に、隣り合う収納列３，４，５同士の左右に、また、隣り合う段同士の上下に空気を流通させて拡散させることができる。つまり、収納空間２の一方の内側面１４ａ側に送風部３０を設けた簡易な構造でありながらも、左右に複数列及び上下に複数段に区画された各収納部に効率的に気流を拡散させることができる。
【００４１】
また、本実施形態では、複数の通気開口部３２，３３を、吹出部３２と吸込部３３とが第１収納列３の別段に位置するように設けている。従って、吹出部３２及び吸込部３３が同じ段に位置するように複数の通気開口部３２，３３を設けた場合と比べて、他方の内側面１５ａ側により効果的に気流を拡散させることができる。つまり、第１収納列３における一段の収納部において吹き出された空気が他の収納部に拡散せずに、同段において吸い込まれるようなことを防止することができる。
【００４２】
また、本実施形態では、互いに送風路３１を介して連通する三つ以上の通気開口部３２，３３，３３を設け、これらのうちの一つのみを吹出部３２としている。従って、この吹出部３２から吹き出した空気を、他の複数の吸込部３３，３３から吸い込むことができる。また、他の複数の吸込部３３，３３のそれぞれの内側に脱臭フィルター３４，３４を設けている。従って、例えば、吹出部３２の上流側に単一の脱臭フィルターを設けたようなものと比べて、圧力損失の抑制が可能でありながらも脱臭効率を向上させることができ、収納空間２内を効果的に脱臭することができる。また、吹出部３２から吹き出す空気の流速を比較的に大きくすることができ、収納空間２内により効果的に気流を拡散させることができる。
【００４３】
また、本実施形態では、第１収納列３の各段における上下方向中央よりも上方側に位置するように通気開口部３２，３３を設けている。従って、第１収納列３の各収納部となる各段に物品が載置されて収納されるような場合にも、載置された物品によって送風が妨げられるようなことを抑制することができ、より効果的に気流を拡散させることができる。なお、このような態様に代えて、第１収納列３の各段における上下方向中央に位置するように通気開口部３２，３３を設けたり、第１収納列３の各段における上下方向中央よりも下方側に位置するように通気開口部３２，３３を設けたりするようにしてもよい。
【００４４】
また、本実施形態では、第１収納列３の段数を、他の収納列４，５の段数よりも多くしている。従って、第１収納列３の各段に少なくとも設けられた通気開口部３２，３３を介して他の収納列４，５に、より効果的に気流を拡散させることができる。なお、このような態様に代えて、各収納列３，４，５の段数を互いに同じ段数としたり、第１収納列３の段数を、他の収納列４，５の段数よりも少なくしたりしてもよい。
【００４５】
また、本実施形態では、各収納列３，４，５の各棚板２３，２４，２５を、各収納列３，４，５において上下に空気の流通が可能なように設けて空気流通空間６を設けている。従って、この空気流通空間６を介して収納空間２内の空気を大きく循環させながら、各列、各段に、より効果的に気流を拡散させることができる。なお、このような空気流通空間６を設けないようにしてもよい。
【００４６】
また、本実施形態では、収納装置１が備える送風部３０に、脱臭機能部材３４，３７を設けている。従って、靴７や、ブーツ８、衣類９等を、効果的に脱臭することができる。なお、上記したように、送風部３０に温風機能部材を設けた場合には、靴７や、ブーツ８、衣類９等を、効果的に乾燥することができる。また、送風部３０に除湿機能部材を設けた場合には、靴７や、ブーツ８、衣類９等を、効果的に除湿することができる。
【００４７】
なお、収納装置１としては、図例のようなものに限られず、収納空間２の上側や下側等に更に他の収納空間を設けた態様としてもよい。この場合は、横仕切板等によって上下の収納空間を区画するようにしてもよい。また、収納空間２を区画する板の少なくとも一つに代えて、住居等の建物内の壁面や天井面、床面等によって収納空間２を区画する態様としてもよい。
また、各収納列３，４，５の棚板２３，２４，２５としては、固定的に設けられるものに限られず、着脱可能に設けられるものとしてもよい。さらには、これら棚板２３，２４，２５の上下方向の取付位置の変更を可能とした態様としてもよい。
また、収納装置１に設けられる送風部３０としては、図例のようなものに限られない。例えば、一方の側板１４とダクト部材３５とを一体的に形成したような態様としてもよい。または、一方の内側面１４ａに、付設状にダクト部材３５を設けたような態様としてもよい。この場合は、他方の内側面１５ａに対向するダクト部材３５の表面を一方の内側面として把握し、当該面において開口するように複数の通気開口部３２，３３を設けた態様としてもよい。
【００４８】
また、収納装置１の列数及び段数としては、上記した例に限られず、４列以上としてもよく、少なくとも２列及び２段であればよい。
また、本実施形態では、三つ以上の通気開口部３２，３３，３３を設け、これらのうちの一つのみを吹出部３２とし、この吹出部３２を第１収納列３の最上段または最下段において開口するように設けた例を示しているが、このような態様に限られない。単一の吹出部３２を、第１収納列３の中段等に設けるようにしてもよい。また、本実施形態では、複数の通気開口部３２，３３，３３を互いに送風路３１を介して連通させた単一の送風部３０を収納装置１に設けた例を示しているが、それぞれに複数の通気開口部３２，３３及び送風路３１を設けた複数の送風部３０を収納装置１に設けるようにしてもよい。また、例えば、第１収納列３の各段において上下に交互に吹出部３２と吸込部３３とが開口するように複数の通気開口部３２，３３を設けたような態様としてもよい。
【００４９】
また、本実施形態では、複数の通気開口部３２，３３を、吹出部３２と吸込部３３とが第１収納列３の別段に位置するように設けた例を示しているが、このような態様に限られない。第１収納列３の少なくとも一つの段において開口するように吹出部３２及び吸込部３３を設けたような態様としてもよい。このような態様とした場合にも、第１収納列３の左右寸法を比較的に小さくし、当該段の上下寸法を比較的に大きくし、当該段の上下方向途中部位に隣り合う収納列４の棚板２４を位置させたような場合等においては、気流を効率的に拡散させることは可能である。
【符号の説明】
【００５０】
１                収納装置
２                収納空間
３                第１収納列（一方の内側面側の列）
４                第２収納列（他の列）
５                第３収納列（他の列）
１４ａ            右側板の内側面（一方の内側面）
１５ａ            左側板の内側面（他方の内側面）
１７              扉
２３，２４，２５  棚板
３０              送風部
３１              送風路
３２              吹出部（通気開口部）
３３              吸込部（通気開口部）
３４              脱臭フィルター
【図１】
2014219167.tif 000003
【図２】
2014219167.tif 000004
【図３】
2014219167.tif 000005